(57)【特許請求の範囲】
【請求項１】
側面から光を入射して、主に主面から該光を導出する導光板であって、
前記導光板の主面の一面側の一部の領域であって、複数の屈曲ドットによって所望の形状が形成された拡散領域と、
前記主面の他面側であって、前記拡散領域の外縁位置に設けられた溝部と、
を備え、
前記溝部の幅は、前記拡散ドットの幅よりも広い幅に形成されている、
導光板。
【請求項２】
前記溝部は、前記溝部の一端側と他端側とを結ぶ複数の溝によって形成されている、
請求項１に記載の導光板。
【請求項３】
前記溝部の深さは、前記屈曲ドットの深さよりも浅い深さである、
請求項１又は２に記載の導光板。
【請求項４】
請求項１〜３のいずれか１項に記載の導光板と、
前記導光板の側面から照射光を入射する光源と、
を備えた、
照明装置。
【請求項５】
複数の屈曲ドットによって主面の一面側に所望の形状に形成された拡散領域と、前記拡散領域の外縁位置で前記主面の他面側に設けられた溝部と、を備え、前記溝部の幅は、前記拡散ドットの幅よりも広い幅に形成されており、側面から光を入射して、主に主面から該光を導出する導光板の製造方法であって、
（ａ）超音波加工用ホーンの先端面に配置された加工ドットを押圧することで、該加工ドットの形状を反映した形状で主面の一面側に複数の屈曲ドットを形成し、前記拡散領域を形成する拡散領域形成ステップと、
（ｂ）前記拡散領域形成ステップで形成した前記拡散領域の外縁位置であって前記主面の他面側にレーザー加工機で前記溝部を形成する溝部形成ステップと、
を含む導光板の製造方法。
【発明の詳細な説明】
【技術分野】
【０００１】
本発明は、導光板、導光板を有する照明装置及び導光板の製造方法に関する。
【背景技術】
【０００２】
従来、主面に複数の凹部を有し、側面側から入射した光をこの凹部で屈折させ、主面側に導出させる導光板が知られている。例えば、特許文献１には、超音波加工用ホーンの矩形状の先端面に配列されたマトリクス状の加工ドットを導光板の主面に押圧し、所定領域に凹部を形成した導光板及びこの導光板を用いた照明装置が記載されている。こうすることにより、この導光板は、比較的大型の導光板であっても、少量多品種の生産における任意の形状や形状に適した光学特性に対応可能としている。
【先行技術文献】
【特許文献】
【０００３】
【特許文献１】特開２０１０―２５７８４６号公報
【発明の概要】
【発明が解決しようとする課題】
【０００４】
しかしながら、こうした導光板を用いた照明装置では、複数の凹部がマトリクス状に配置されることになるため、凹部を含む所定領域の外縁に凹部が形成されるとは限らない。このため、所定領域の輪郭で光が屈折するとは限らないため、所定領域の輪郭が明確でないという課題がある。このような課題は、所定領域の外縁が曲線形状等の場合に特に顕著となる。
【０００５】
本発明は、このような課題に鑑みなされたものであり、複数の凹部が形成された所定領域と凹部が形成されていない領域との境界が明確な導光板、この導光板を有する照明装置及び導光板の製造方法を提供することを主目的とする。
【課題を解決するための手段】
【０００６】
本発明は、上述の目的の少なくとも一つを達成するために以下の手段を採った。
【０００７】
本発明の導光板は、
側面から光を入射して、主に主面から該光を導出する導光板であって、
前記導光板の主面の一部の領域であって、複数の屈曲ドットを有する拡散領域と、
前記拡散領域の外縁位置に設けられた溝部と、
を備えたものである。
【０００８】
この導光板は、側面から入射された光が、拡散領域に設けられた複数の屈曲ドットによって屈折し、主に主面から導出される。このとき、屈曲ドットが必ずしも拡散領域の外縁に位置するとは限らないが、拡散領域の外縁位置に溝部が設けられているため、拡散領域の外縁には、必ず溝部が位置することになる。こうすることにより、拡散領域の外縁では必ず光が屈曲することになるため、溝部を有しない場合と比較して、より拡散領域の外縁を明確にすることが可能となる。なお、ここで「外縁位置」とは、複数の屈曲ドットによって所望の形状が形成された拡散領域を囲む所定の幅を有する領域を意味し、拡散領域の境界及びその近傍の位置を意味する。
【０００９】
本発明の導光板において、前記溝部の幅は、前記屈曲ドットのそれぞれの幅よりも広い幅であってもよい。こうすることにより、溝部の幅がそれぞれの屈曲ドットの幅よりも狭い場合と比較して、拡散領域の外縁で屈折される光の幅を広くすることが可能となる。言い換えると、溝部の幅がそれぞれの屈曲ドットの幅よりも狭い場合と比較して、より拡散領域の外縁部を明確にすることができる。
【００１０】
本発明の導光板において、前記溝部の深さは、前記屈曲ドットの深さよりも浅い深さであってもよい。
こうすることにより、側面から入射された光の少なくとも一部は溝部で屈曲されることなく屈曲ドットまで到達することになるため、拡散領域の内側で十分な光量を保ちつつ、拡散領域の外縁を明確にすることができる。
【００１１】
本発明の導光板において、前記屈曲ドット及び前記溝部は、前記主面の一面側に設けられていてもよい。こうすることにより、屈曲ドット及び溝部で屈曲された光は主に他面側から導出されることになるため、他面側から視認した場合にはより明るく見え、一面側から視認した場合には拡散領域によって形成されるデザインがより明確に見える。言い換えると、一面側から視認した場合と他面側から視認した場合とで、拡散領域の見え方を変えることができる。
【００１２】
本発明の導光板において、前記屈曲ドットは、前記主面の一面側に設けられており、前記溝部は、前記主面の他面側に設けられていてもよい。こうすれば、屈曲ドットは主面の一面側に、溝部は主面の他面側に、それぞれ導光板の厚さ方向にずれて設けられることになる。こうすることにより、屈曲ドットで屈曲される光の位置と溝部で屈曲される光の位置とを導光板の厚さ方向にずらすことができる。言い換えると、屈曲ドットと溝部とが主面の同一面側に設けられている場合と比較して、拡散領域が立体的に見える。この態様を採用した本発明の導光板において、前記溝部の少なくとも一部は、前記主面の他面側であって、前記拡散領域の外縁位置に相当する位置よりも拡散領域側に設けられていてもよい。こうすれば、溝部を外周位置に形成する場合と比較して、溝部の位置を合わせるための制御の労力をより低減しつつ、拡散領域の境界を明確にすることができる。
【００１３】
本発明の照明装置は、上述したいずれか１つに記載の導光板と、前記導光板の側面から照射光を入射する光源と、を備えたものである。この照明装置では、上述したいずれか一つの導光板を備えるから、これと同様の効果、例えば、溝部を有しない場合と比較して、より拡散領域の外縁を明確にすることができるという効果を得ることができる。
【００１４】
本発明の導光板の製造方法は、複数の屈曲ドットを有する拡散領域と、前記拡散領域の外縁位置に設けられた溝部と、を主面に備え、側面から光を入射して、主に主面から該光を導出する導光板の製造方法であって、
（ａ）超音波加工用ホーンの先端面に配置された加工ドットを押圧することで、該加工ドットの形状を反映した形状で主面に複数の屈曲ドットを形成し、前記拡散領域を形成する拡散領域形成ステップと、
（ｂ）前記拡散領域形成ステップで形成した前記拡散領域の外縁位置にレーザー加工機で前記溝部を形成する溝部形成ステップと、
を含む導光板の製造方法である。
【００１５】
この導光板の製造方法では、側面から光を入射して主に主面から該光を導出する導光板に対して、超音波加工用ホーンの先端面に配置された加工ドットを押圧することで該加工ドットの形状を反映した形状で主面に複数の屈曲ドットを形成し、前記拡散領域形成ステップで形成した拡散領域の外縁位置にレーザー加工で溝部を形成する。こうすることにより、拡散領域の外縁には側面から入射した光を屈曲させる溝部が必ず位置することになり、溝部を有しない場合と比較して、より拡散領域の外縁を明確にすることが可能となる。例えば、超音波加工用ホーンの先端面に縦横それぞれ４つの加工ドットを配置することで製造時の労力を低減する場合が想定されるが、このような製造方法で外縁が曲線形状となる拡散領域を有する導光板を製造する場合には、本発明の効果が特に大きい。なお、この導光板の製造方法において、上述した導光板の種々の態様を採用しても良いし、また、上述した導光板の各構成を製造するようなステップを追加しても良い。
【図面の簡単な説明】
【００１６】
【図１】導光板２０の構成の概略を示す正面図である。
【図２】導光板２０の構成の概略を説明するための説明図である。
【図３】導光板２０の製造方法を説明するための説明図である。
【図４】溝部３４の有無による違いを比較した比較図である。
【図５】導光板２０を有するＬＥＤ照明器具１００の構成の概略を示す斜視図である。
【図６】他の実施の形態における導光板１２０の構成の概略を示す正面図である。
【図７】溝部３４のレーザー加工痕３６のパターンを説明するための説明図である。
【図８】他の実施の形態における導光板１３０の構成の概略を示す正面図である。
【図９】他の実施の形態における導光板１３０の構成の概略を説明するための説明図である。
【図１０】他の実施の形態における導光板１４０の構成の概略を示す正面図である。
【図１１】他の実施の形態における導光板１４０の構成の概略を説明するための説明図である。
【発明を実施するための形態】
【００１７】
ここで、上記簡単に説明した図面に基づいて、本発明を実施するための形態を説明するにあたり、本実施の形態の構成要素と本発明の構成要素との対応関係を明らかにする。本実施の形態の導光板２０が本発明の導光板に相当し、屈曲ドット３２が屈曲ドットに相当し、拡散領域３０が拡散領域に相当し、溝部３４が溝部に相当し、レーザー加工痕３６がレーザー加工痕に相当し、ＬＥＤ１１２が光源に相当し、照明装置１００が照明装置に相当し、超音波加工用ホーン４０が超音波加工用ホーンに相当し、加工ドット４２が加工ドットに相当し、レーザー加工機５０がレーザー加工機にそれぞれ相当する。なお、導光板２０の製造方法及び使用方法の一例を示すことにより、本発明の実施方法の一例を明らかにしている。
【００１８】
次に、図１及び図２を用いて、導光板２０の構成を詳しく説明する。ここで、図１は、本発明の実施の形態の一例である導光板２０の構成の概略を示す正面図である。また、図２は、導光板２０の構成の概略を説明するための説明図であり、図２（Ａ）は、図１中Ａ部の拡大図を、図２（Ｂ）は、図２（Ａ）のＢ−Ｂ断面における断面図を、それぞれ表している。本発明の実施の形態の一例である導光板２０は、厚さが約４ミリメートルから約１２ミリメートルであり、略直方体の板状に形成された透過性を有するメタクリル樹脂製の板である。この導光板２０は、複数の屈曲ドット３２を有する拡散領域３０と、拡散領域３０の外縁位置に設けられた溝部３４とを主面の一面側に備えている。この導光板２０の側面から光が入射されると、屈曲ドット３２及び溝部３４で光が屈折し、主に主面から光が導光される。なお、主面において、屈曲ドット３２が形成されている側を一面側、一面側と反対側を他面側と呼び、特に断りのない限りは、主に光が導出される他面側を視点として説明する。また、図中の屈曲ドット３２、レーザー加工痕３６及び溝部３４の大きさは、作図の都合上、実際よりも大きく描いている。
【００１９】
屈曲ドット３２は、図１に示すように、略四角錐形状に凹む凹部であり、四角錐の底面に相当する位置が導光板２０の一面側に位置するように設けられている。この屈曲ドット３２を形成する四角錐の底面の各頂点を結ぶ各対角線は、導光板２０の各辺とそれぞれ略平行となるように設けられている。このため、側面から光が入射した場合には、この対角線と光路とが略平行になり、四角錐の各面に対して光が垂直に入射することがない。言い換えると、側面から入射した光が屈曲ドット３２で屈曲せずに直進する可能性が無いため、四角錐の底面の各辺が導光板２０の各辺と略平行である場合と比較して、より明るく見える。
【００２０】
溝部３４は、図１に示すように、拡散領域３０の外縁位置に設けられており、複数のレーザー加工痕３６によって形成されている（図２（Ｂ）参照）。このレーザー加工痕３６は、溝部３４の外周位置をレーザー加工した後に、溝部３４の一端側から他端側まで直線状に複数回レーザー光を照射することにより連結し、例えば、はしごのような形状や作図の際に用いられるハッチング形状と似たような形状を形成する。溝部３４の一端側と他端側を結ぶハッチング形状を形成するレーザー加工痕３６は、導光板２０の横方向に対して略平行に形成されているため、例えば、下方から光が入射された場合には、光路とレーザー加工痕３６とが必ず交差することになり、光が屈折する。言い換えると、レーザー加工痕３６を導光板２０の縦方向に対して略平行に形成した場合と比較して、より溝部３４が明るく見える。また、拡散領域３０の外縁位置に配置された溝部３４の外周位置は、レーザー加工痕３６によって囲われているため、側面から入射した光が必ず屈曲することになる。例えば、拡散領域３０にマトリクス状に屈曲ドット３２が配置された場合には、拡散領域３０の外縁に屈曲ドット３２が位置するとは限らないため、拡散領域３０の外縁で光が屈曲しない可能性があるが、このような可能性を未然に低減することができ、拡散領域３０が屈曲ドット３２のみで構成されている場合と比較して、より拡散領域３０の外縁を明確にすることができる。なお、レーザー加工痕３６の一例としては、例えば、幅を２６マイクロメートルとすることができる。
【００２１】
この溝部３４の幅は、図２に示すように、屈曲ドット３２の幅よりも広くなるように形成されている。このため、側面から入射した光は、屈曲ドット３２よりも溝部３４で幅広く屈曲することになり、溝部３４の幅が屈曲ドット３２の幅よりも狭い場合と比較して、拡散領域３０の外縁を太く光らせることができる。言い換えると、拡散領域３０の外縁をより明確にすることができる。また、溝部３４の深さは、屈曲ドット３２の深さよりも浅くなるように形成されているため（図２（Ｂ）参照）、側面から入射した光の少なくとも一部は、溝部３４で屈曲されることなく屈曲ドット３２まで到達することになる。このため、溝部３４の深さが屈曲ドット３２の深さと同等か又は溝部３４の深さが屈曲ドット３２の深さより深い場合と比較して、屈曲ドット３２で屈曲される光量をより多くすることができる。言い換えると、拡散領域３０の内側で十分な光量を保ちつつ、拡散領域３０の外縁を明確にすることができる。なお、屈曲ドット３２の一例としては、例えば、各辺の長さが約０．６ミリメートル、深さが約０．４ミリメートルであり、隣あう屈曲ドット３２間のピッチが約１．２ミリメートルとすることができる。
【００２２】
ここで、こうして構成された本実施の形態の導光板２０の製造方法について説明するにあたり、屈曲ドット３２の形成に用いられる超音波加工用ホーン４０について説明する。超音波加工用ホーン４０は、図示しない公知の超音波加工機と接続されており、先端面に加工ドット４２が縦横それぞれ４つずつ、マトリクス状に配置されている。この加工ドット４２は、略四角錐形状であり、加工ドット４２の底面の各頂点をそれぞれ結ぶ対角線と超音波加工用ホーン４０の各辺とが、それぞれ略平行となるように超音波加工用ホーン４０の先端面に設けられている。
【００２３】
次に、導光板２０の製造方法について、図３及び図４を用いて詳しく説明する。ここで、図３、導光板２０の製造方法の一例を説明する説明図であり、図３（Ａ）は、超音波加工用ホーン４０を導光板２０に当接する前の状態（加工前の導光板２０）を、図３（Ｂ）は、導光板２０に超音波加工用ホーン４０を当接した状態を、図３（Ｃ）は、レーザー加工機５０を照射した後の状態を、それぞれ示している。また、図４は、溝部３４の有無を比較した比較図であり、図４（Ａ）は、導光板２０の一面側を超音波加工用ホーン４０で加工した状態を、図４（Ｂ）は、更にレーザー加工機５０を用いて、拡散領域３０の外縁位置に溝部３４を形成した状態を、それぞれ示している。
【００２４】
導光板２０の主面に拡散領域３０を形成する際には、まず、図３（Ａ）に示すように、超音波加工用ホーン４０を所望の位置に移動する。次に、超音波加工用ホーン４０に超音波振動を印加し、図３（Ｂ）に示すように、導光板２０の主面に対して垂直に超音波加工用ホーン４０を押圧した後、超音波加工用ホーン４０を主面に対して垂直に遠ざける。こうすることにより、加工ドット４２の形状が反映された形状で屈曲ドット３２を形成し、図４（Ａ）に示すように、拡散領域３０内に複数の屈曲ドット３２を形成する。
【００２５】
次に、図３（Ｃ）に示すように、レーザー加工機５０を拡散領域３０の外縁位置に位置決めし、レーザー照射部５２より拡散領域３０の外縁位置に沿ってレーザー光を照射し、溝部３４を形成する（図４（Ｂ）参照）。具体的には、レーザー照射部５２よりレーザー光を照射し、溝部３４の外周位置をレーザー加工する。次に、溝部３４の一端側から他端側まで直線状に複数回レーザー光を照射することにより、溝部３４の一端側と他端側とをレーザー加工して連結しレーザー加工痕３６を形成し、溝部３４を形成する（図２（ａ）参照）。この状態の溝部３４は、例えば、はしごのような形状や作図の際に用いられるハッチング形状と似たような形状のレーザー加工痕３６を有することになる。こうすることにより、細いレーザー光を用いて、幅の太い溝部３４を形成することができる。言い換えると、高出力のレーザー光を使用して溝部３４の幅と同程度の幅のレーザー加工痕３６を形成する場合と比較して、省エネルギーに資すると共に、短時間で溝部３４を形成することができる。このとき、溝部３４の幅は屈曲ドット３２の幅よりも太い幅で形成されるため、側面から入射した光は、屈曲ドット３２よりも溝部３４で幅広く屈曲することになり、溝部３４の幅が屈曲ドット３２の幅よりも狭い場合と比較して、拡散領域３０の外縁を太く光らせることができる。言い換えると、拡散領域３０の外縁をより明確にすることができる。同時に、溝部３４の深さは、屈曲ドット３２の深さよりも浅くなるように形成されている。こうすることにより、溝部３４よりも屈曲ドット３２の方が屈折させる光量が多くなり、拡散領域３０の内側で十分な光量を保ちつつ、拡散領域３０の外縁を明確にすることができる。
【００２６】
このようにして製造した導光板２０を用いた照明装置１００について、図５を用いて、詳しく説明する。ここで、図５は、照明装置１００の構造の概略を示す斜視図である。照明装置１００は、図５に示すように、本体部１１０の上面に複数のＬＥＤ１１２が設けられており、ＬＥＤ１１２の上方に導光板２０の側面が位置するように、導光板２０が取り付けられている。この照明装置１００は、図示しない電源より供給された電力によって複数のＬＥＤ１１２が点灯すると、導光板１２０の側面に光が入射される。この光は屈曲ドット３２及び溝部３４で屈曲され、導光板２０の主面の他面側から導出されることになる。こうすることにより、溝部３４を有しない場合と比較して、拡散領域３０に描かれたＳの文字の外縁がより明確に表示することができる。また、溝部３４の内側を形成するレーザー加工痕３６は、ＬＥＤ１１２から照射された光の光路に対して略垂直方向に形成されているため、光路と略平行に形成されている場合と比較して、より溝部３４が明るく見える。
【００２７】
以上詳述した本実施形態の導光板２０によれば、側面から入射された光が、屈曲ドット３２及び溝部３４で屈曲され、主に主面から導出される。溝部３４は拡散領域３０の外縁位置に設けられているため、溝部３４が設けられていない場合と比較して、拡散領域３０の外縁を明確にすることができる。例えば、複数の加工ドット４２がマトリックス状に配置された超音波加工用ホーン４０を用いてＳ字形状の拡散領域３０を形成するような場合には、拡散領域３０の外縁に屈曲ドット３２が常に位置するとは限らないため、溝部３４を設けることによる効果が大きい。
【００２８】
また、溝部３４の幅は屈曲ドット３２の幅よりも広い幅で形成されているため、溝部３４の幅が屈曲ドット３２の幅よりも狭い場合と比較して、拡散領域３０の外縁で屈折される光の幅を広くすることが可能となる。言い換えると、溝部３４の幅が屈曲ドット３２の幅よりも狭い場合と比較して、より拡散領域３０の外縁を明確にすることができる。
【００２９】
更に、溝部３４の深さは屈曲ドット３２の深さよりも浅い深さで形成されているため、側面から入射した光の少なくとも一部は、溝部３４で屈曲されることなく屈曲ドット３２まで到達することになり、拡散領域３０の内側で十分な光量を保ちつつ、拡散領域３０の外縁を明確にすることができる。
【００３０】
更にまた、屈曲ドット３２及び溝部３４は、いずれも主面の一面側に設けられているため、他面側から見た際に、これらがいずれも他面側に設けられている場合と比較して、屈曲ドット３２及び溝部３４によって屈曲される光量が大きくなり、明るく見える。一方、一面側から見た際には、拡散領域３０によって形成されるＳ字のデザインがより明確に見える。このため、一面側から見た際と他面側から見た際とで、拡散領域３０の見え方を変えることができる。
【００３１】
そして、照明装置１００は、導光板２０を備えているため、上述した導光板２０の効果、例えば、溝部３４を有しない場合と比較して、より拡散領域３０の外縁を明確にすることができるという効果を得ることができる。
【００３２】
なお、本発明は上述した実施形態に何ら限定されることはなく、本発明の技術的範囲に属する限り種々の態様で実施し得ることはいうまでもない。
【００３３】
例えば、上述した実施の形態では、屈曲ドット３２の各辺の長さが０．６ミリメートル、深さが０．４ミリメートルであるとしたが、これに限定されるものではなく、屈曲ドットの各辺の長さは、例えば、０．６ミリメートル〜１．５ミリメートルであっても良い。また、屈曲ドットの深さは、例えば、０．４ミリメートル〜０．８ミリメートルであっても良い。いずれの場合であっても、上述した実施の形態と同様の効果が得られる。
【００３４】
また、隣あう屈曲ドット３２間のピッチが１．２ミリメートルとしたが、これに限定されるものではなく、例えば、約１．５ミリメートル、約２．０ミリメートル及び約８．０ミリメートルのピッチとしてもよい。いずれの場合であっても、上述した実施の形態と同様の効果が得られる。
【００３５】
上述した実施の形態では、縦横それぞれ４つずつマトリクス状に加工ドット４２が先端面に配置された超音波加工用ホーン４０を用いて屈曲ドット３２を形成するものとしたが、超音波加工用ホーン４０の先端面に配置される加工ドット４２の数はこれに限定されるものではなく、例えば、それぞれ５つ配置されたものであってもよいし、１０個配置されたものであってもよい。配置される加工ドット４２の数が増えれば増えるほど、屈曲ドット３２を加工する際の加工労力が低減し、拡散領域３０の外縁に屈曲ドット３２が配置されないケースが多くなるため、溝部３４を形成することによる効果が大きくなる。
【００３６】
上述した実施の形態では、溝部３４の外周位置と溝部３４の一端側と他端側とを結ぶ直線位置とにレーザー加工痕３６を形成するものとしたが、図６に示すように、溝部３４の一端側と他端側とを結ぶ直線位置にのみレーザー加工痕３６を形成し、溝部３４の外周位置にはレーザー加工痕３６を形成しなくても良い。こうすれば、レーザー加工の際にレーザー照射部５２を直線的に動かすことで溝部３４を形成することができるため、溝部３４の外周位置にレーザー加工痕３６を形成する場合と比較して、上述した実施の形態と同様の効果を得ながら、よりレーザー照射部５２の制御の労力を低減すると共に、より短時間で溝部３４を形成することができる。なお、ここで図６は、本発明の実施の形態の他の一例である導光板１２０を示す正面図である。
【００３７】
上述した実施の形態では、溝部３４の一端側と他端側を結ぶハッチング形状を形成するレーザー加工痕３６は導光板２０の横方向に対して略平行に形成されているものとしたが、図７（Ａ）に示すように、導光板２０の縦方向に対して略平行に形成されるものとしても良い。こうすれば、導光板２０の横方向から光が入射した場合にレーザー加工痕３６と光路が交差することになり、より明るく見える。また、図７（Ｂ）に示すように、外縁と略等間隔となる位置にレーザー加工痕３６を形成されるものとしても良い。こうすれば、光の屈曲位置が外縁と略等間隔になるため、美観に優れる。更にまた、図７（Ｃ）に示すように、導光板２０の横方向に対して所定の角度を有する斜線形状に形成するものとしてもよい。こうすれば、光が横方向及び縦方向のいずれの方向から入射した場合であっても、必ずレーザー加工痕３６と光路とが交差することになり、より明るく見える。そして更に、図７（Ｄ）に示すように、レーザー加工痕３６が互いに交差するように形成されるものとしても良い。この場合も、光が横方向及び縦方向のいずれの方向から入射しても、必ずレーザー加工痕３６と光路とが交差することになり、入射光が必ず主面に屈曲することになる。言い換えると、溝部３４がより明るく見える。このとき、レーザー加工痕３６が互いに交差する交差角は、任意の角度を選択することができるが、例えば、略９０度で交差する格子状やマトリクス状としてもよい。更にまた、図７（Ｅ）に示すように、レーザー加工痕３６で所望の文字を形成しても良い。こうすれば、屈曲した光にメッセージ性を込めることができる。なお、ここで図７は、溝部３４に設けられたレーザー加工痕３６を説明するために、溝部３４の一部を含む領域を拡大した拡大図である。
【００３８】
上述した実施の形態では、屈曲ドット３２及び溝部３４がいずれも主面の一面側に設けられるものとしたが、図８及び図９に示すように、屈曲ドット３２を主面の一面側に設け、溝部３４を主面の他面側に設けてもよい。こうすれば、屈曲ドット３２で屈曲される光の位置が溝部３４で屈曲される光の位置よりも一面側になるため、拡散領域３０の外縁を明確にしつつ、Ｓ字のデザインがより立体的に見える。なお、図８は、本発明の実施の形態の他の一例である導光板１３０の構成の概略を示す正面図である。また、図９は、導光板１３０の構成の概略を説明するための説明図であり、図９（Ａ）は、図８中Ａ部の拡大図を、図９（Ｂ）は、図９（Ａ）のＢ−Ｂ断面における断面図を、それぞれ表している。
【００３９】
このとき、図１０及び図１１に示すように、溝部３４の一部が、主面の他面側であって拡散領域３０の外縁位置に相当する位置よりも拡散領域３０側に設けられていても良い。こうすれば、溝部３４を外周位置に形成する場合と比較して、溝部３４の位置を合わせるための制御の労力をより低減しつつ、拡散領域３０の境界を明確にすることができる。なお、図１０は、本発明の実施の形態の他の一例である導光板１４０の構成の概略を説明するための正面図である。また、図１１は、導光板１４０の構成の概略を説明するための説明図であり、図１１（Ａ）は、図１０中Ａ部の拡大図を、図１１（Ｂ）は、図１１（Ａ）のＢ−Ｂ断面における断面図を、それぞれ表している。
【００４０】
上述した実施の形態では、導光板２０を照明装置１００に備えるものとしたが、導光板１２０を備えていても良い。こうすれば、導光板２０を備える場合と比較して、よりレーザー照射部５２の制御の労力を低減すると共に、より短時間で溝部３４を形成しながら、上述した実施の形態と同様の効果を得ることができる。また、導光板１３０を備えるものとしても良い。こうすれば、屈曲ドット３２で屈曲される光の位置が溝部３４で屈曲される光の位置よりも一面側になるため、拡散領域３０の外縁を明確にしつつ、Ｓ字のデザインがより立体的に見える。更に、導光板１４０を備えるものとしても良い。こうすれば、溝部３４を外周位置に形成する場合と比較して、溝部３４の位置を合わせるための制御の労力をより低減しつつ、拡散領域３０の境界を明確にすることができる。
【００４１】
上述した実施の形態では、拡散領域３０に複数の屈曲ドット３２を設けるものとしたが、屈曲ドット３２の形状及び大きさは、同一であっても良いし、異なっていても良い。例えば、ＬＥＤ１１２から遠ざかるにつれて、屈曲ドット３２の各辺を徐々に長くしたり、屈曲ドット３２の深さを徐々に深くしたりしても良い。こうすれば、ＬＥＤ１１２から近く光が強い位置では屈曲される光量が小さくなり、ＬＥＤ１１２から遠ざかるにつれて屈曲される光量が大きくなるため、上述した実施の形態の効果に加えて、拡散領域３０を均等に見せることができる。
【００４２】
一方、例えば、ＬＥＤ１１２から遠ざかるにつれて、屈曲ドット３２の各辺を徐々に短くしたり、屈曲ドット３２の深さを徐々に浅くしたりしても良い。こうすれば、ＬＥＤ１１２から遠ざかるにつれて屈曲される光量が小さくなるため、上述した実施の形態に加えて、拡散領域３０にグラデーションをかけて見せることができる。
【００４３】
上述した実施の形態では、溝部３４の外周位置と溝部３４の一端側と他端側とを結ぶ直線位置とにレーザー加工痕３６を形成するものとしたが、溝部３４の幅を広く形成する方法はこの方法に限定されるものではなく、溝部３４の領域内に任意の形状でレーザー加工痕３６を形成することで溝部３４を形成しても良い。また、レーザー加工痕３６同士の間隔は任意の間隔で形成することができ、必ずしも等間隔である必要はなく、溝部３４の底面が同一の深さである必要もない。拡散領域３０の外縁を視認できる形状であれば、いずれの方法であっても、上述した実施の形態と同様の効果が得られる。
【００４４】
上述した実施の形態では、導光板２０は透過性を有するメタクリル樹脂製の板であるものとしたが、透過性を有する素材であればメタクリル樹脂製に限定されるものでなく、メチルメタクリレートやエチルメタクリレート等のメタクリル樹脂意外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【産業上の利用可能性】
【００４５】
上述した実施の形態で示すように、照明分野、特に照明用の導光板として利用することができる。
【符号の説明】
【００４６】
２０…導光板、３０…拡散領域、３２…屈曲ドット、３４…溝部、３６…レーザー加工痕、４０…超音波加工用ホーン、４２…加工ドット、５０…レーザー加工機、５２…レーザー照射部、１００…照明装置、１１０…本体部、１１２…ＬＥＤ、１２０…導光板、１３０…導光板、１４０…導光板。
【図１】
0005222963.tif 000002
【図２】
0005222963.tif 000003
【図３】
0005222963.tif 000004
【図４】
0005222963.tif 000005
【図５】
0005222963.tif 000006
【図６】
0005222963.tif 000007
【図７】
0005222963.tif 000008
【図８】
0005222963.tif 000009
【図９】
0005222963.tif 000010
【図１０】
0005222963.tif 000011
【図１１】
0005222963.tif 000012